(57)【要約】加入者装置（１０）は、伝導性、誘電率、または透磁率など、対象物の電磁気特性を測定するための１つ以上のセンサ（１０２）を備える。コントローラ（１０４）は、対象物電磁気パラメータをメモリ（１０６）に記憶し、メモリ（１０６）に記憶された性能増強ルーチンに従って動作して、電磁気パラメータに従って加入者装置（１０）の動作を増強する。これを行うために、コントローラ（１０４）は、増幅器（１１２）の出力、シンセサイザ（１１４）の周波数、またはアンテナ（１１０）のインピーダンスを調整してよい。加入者装置を制御するソフトウェア・プログラムと、対応する方法とを説明する。
2006524963.tif 000002
【特許請求の範囲】
【請求項１】
実効輻射出力を有する加入者装置であって、
対象物の電磁気特性を測定し、対象物電磁気パラメータを生成するためのセンサと、
情報を送受信するための、アンテナに接続されたトランシーバと、
対象物電磁気パラメータに従ってトランシーバの性能を増強するための、センサおよびトランシーバに接続されたコントローラとから成る加入者装置。
【請求項２】
トランシーバは出力増幅器およびシンセサイザを備えることと、
コントローラは対象物電磁気パラメータに従ってシンセサイザを調整することによって発信周波数を調整するためのコントローラであることとを含む請求項１に記載の加入者装置。
【請求項３】
コントローラは対象物電磁気パラメータに従って出力増幅器を調整することによって出力レベルを調整するためのコントローラであることを含む請求項２に記載の加入者装置。
【請求項４】
対象物は人体であることと、
センサは人間の身体の電磁気特性を測定し、身体電磁気パラメータを生成するためのセンサであることと、
コントローラは身体電磁気パラメータに従ってトランシーバの性能を増強することとを含む請求項１に記載の加入者装置。
【請求項５】
センサは生体電気インピーダンス分析と、近赤外インタラクタンスと、総身体電気伝導とのうちの１つによって、身体伝導性と、身体誘電率と、身体透磁率とのうちの１つとして身体の電磁気特性を測定する請求項４に記載の加入者装置。
【請求項６】
加入者装置の実効輻射出力を改良する方法であって、
対象物の電磁気特性を測定し、対象物電磁気パラメータを生成する電磁気特性測定工程と、
対象物電磁気パラメータに従って加入者装置のトランシーバの性能を増強する性能増強工程とからなる方法。
【請求項７】
対象物電磁気パラメータをメモリに記憶された所定値と比較し、比較結果パラメータを生成するパラメータ比較工程を含む請求項６に記載の方法。
【請求項８】
性能増強工程は対象物電磁気パラメータが所定値に対して予め定めた量を超えて異なる場合、トランシーバの出力レベルを調整する出力レベル調整工程を含む請求項７に記載の方法。
【請求項９】
性能増強工程は対象物電磁気パラメータが所定値に対して第２の予め定めた量を超えて異なる場合、トランシーバの発信周波数を調整する発信周波数調整工程を含む請求項７に記載の方法。
【請求項１０】
電磁気特性測定工程は加入者装置の操作者の身体の電磁気特性を測定し、身体電磁気パラメータを生成する工程を含み、
性能増強工程は身体電磁気パラメータに従ってトランシーバの性能を増強する工程を含む請求項６に記載の方法。
【発明の詳細な説明】
【技術分野】
【０００１】
本発明は、一般に加入者装置に関し、より詳細には、実効輻射出力を有する加入者装置に関する。
【背景技術】
【０００２】
従来の加入者装置は、人体の所定因子と、管理機関の要求とに従って設計されている。例えば、１つのアプローチでは、出力増幅器からの出力やアンテナ・マッチング回路網インピーダンスなど様々な無線周波数パラメータを、加入者装置の製造者が静的に設定するため、人体の平均的な電磁気的性質に従って期待される受発信周波数での出力レベルが推定される。別のアプローチでは、加入者装置の製造者は、加入者装置が人体に接しているか離れているかを判定するためのセンサと、この判定に基づいてアンテナを調整するためのコントローラとを含める。
【０００３】
これらの両方のアプローチでは、対象物または人体の組成における実際の電磁気的性質の変動が適切に考慮されていない。このことは、将来の通信技術におけるシステムの動作周波数の増大、したがって動作波長の減少につれて、さらに重要となる。さらに、これらのアプローチでは、人体の異なる部分における変動と、それらの変動が加入者装置の輻射パターンに対して与える効果とが適切に考慮されていない。
【発明を実施するための最良の形態】
【０００４】
添付の図面では、類似の参照番号は同一または機能的に類似の要素を表しており、添付の図面は、以下の詳細な説明と共に本明細書に組み込まれて本明細書の部分を形成する。添付の図面によって、本発明の様々な実施態様がさらに示され、本発明による様々な原理および利点が説明される。
【０００５】
概観では、本開示は加入者装置すなわち無線通信を行うための無線通信ユニットに関する。さらに本開示は、加入者装置の実効輻射出力を増強する方法に関する。なお、本明細書では、加入者装置またはユニットは、無線装置またはユニットと交換可能に用いられる場合があり、それらの語の各々は、通常ではユーザに関連する装置を表し、典型的には、サービス協定に従って公衆ネットワークで、またはプライベート・ネットワークで用いられ得る無線装置、もしくは身体エリア・ネットワーク（ローカル・エリアが個人の身体および近接部分であるローカル・エリア・ネットワーク）で用いられ得る無線装置を表す。
【０００６】
さらに本開示では、本発明の１つ以上の実施態様の実施における最良の形態を、実施可能な方式で説明する。さらに本開示は、本発明の発明原理および利点に対する理解および認識を向上させるものであって、いかなる意味でも本発明を限定するものではない。本発明は、本出願の継続中になされた任意の補正を含む添付の特許請求の範囲と、発行後の特許請求の範囲の均等物の全てとによってのみ規定される。さらに、第１、第２、など関係を示す語が存在する場合、それらの語は、１つのエンティティ、部材、または作用を、別のエンティティ、部材、または作用から区別するためにのみ用いられており、そうしたエンティティ、部材、または作用の間に、何らかの実際のそうした関係または順序を必ずしも要求するものではなく、意味するものでもない。
実施時に、本発明の機能のうちの多くおよび本発明の原理のうちの多くは、ディジタル信号プロセッサなどの集積回路（ＩＣ）または特定用途向けＩＣを用いて、もしくはディジタル信号プロセッサなどの集積回路（ＩＣ）または特定用途向けＩＣにおいて最もよくサポートされる。多大な労力と、例えば、利用可能な時間、現在の技術、および経済的な検討によって誘導される多くの設計選択とにもかかわらず、本明細書に開示の概念および
原理によって教示される場合、そうしたＩＣを、当業者が最小の実験で容易に生成およびプログラムすることが可能であると予想される。したがって、簡略のため、かつ本発明による原理および概念を曖昧にする危険を最小にするために、そのようなＩＣおよびプログラムのさらなる説明は、存在する場合にも、好適な実施形態の原理および概念に関する必須のものに限られる。
さらに以下で説明するように、様々な本発明の原理およびそれらの組合せは、加入者装置の実効輻射出力を増強するために有利に用いられる。ここで図１を参照すると、本発明の方法および装置は、例えば、人間２の心拍数（ｈｅａｒｔ  ｒａｔｅ）、他の医療関連パラメータ、またはその両方を加入者装置１０が監視する、個人の身体エリア・ネットワークで実施され得る。加入者装置１０は、遠隔端末すなわちサーバ４との無線通信を有しており、心拍数を遠隔端末すなわちサーバ４で監視することが可能である。図２を参照すると、本発明は、ＰＳＴＮ（図示せず）などの電話接続網への接続をユーザに提供するために基地局６への無線接続をユーザ２に提供する、加入者装置１０内でも実施され得る。両方の環境における加入者装置１０は、例えば、イリノイ州シャンバーグ所在のモトローラ社（Ｍｏｔｏｒｏｌａ，Ｉｎｃ．）製造の、Ｉ９５ＣＬ型である。
【０００７】
人間の身体（人体）２などの対象物における、伝導性、比誘電率εｒ、または透磁率などの様々な電磁気特性は、加入者装置１０の実効輻射出力に影響を与え得ることを、当業者は認めるであろう。これは、誘電材料を加入者装置のアンテナ１１０（図３に示す）など非遮蔽の無線周波数（ＲＦ）装置の極めて近くに持ち込む場合、誘電材料がアンテナの常態の自由空間での輻射パターンと相互作用して、エネルギーを輻射するＲＦ装置と人体との組合せによる混成のアンテナ輻射パターンを生じるためである。この混成のアンテナのパターンが輻射パターンとなる。
【０００８】
この新たな輻射パターン、すなわち混成パターンは、アンテナの初期の電流分布と、対象物または人体の誘導された（初期のアンテナ電流によって）電流分布との組合せの結果である。両方の電流分布、詳細には、初期電流分布と、対象物の誘導電流の電流分布とによって、結果として新たな輻射パターンが与えられる。この歪んだ輻射パターンすなわち歪んだアンテナ輻射出力パターンは、加入者装置と接続している材料または加入者装置に接続されている材料の誘電率に応じて輻射出力のうちの一部を吸収、反射する、人体などの対象物の影響に依存する。また、人体２には、それ自身のインピーダンスすなわち実効インピーダンスが存在するので、人体２により輻射抵抗は増大し、結果的にアンテナのインピーダンスが変化することによってアンテナ効率が変化する。しかしながら、対象物または身体の異なる部分は、その電磁気的な性質すなわち特性に従い異なって作用するため、輻射出力パターンに異なる効果を与える。例えば、筋肉の比誘電率は５１．６、伝導性は１．５６であるが、脂肪の比誘電率は５．６、伝導性は０．０９５である。これらの説明のバランスは人体の特性およびその効果に大きく傾けられているが、他の対象物が類似の特性を有し得ることが理解される。
【０００９】
当業者には周知のように、ｘｙｚ軸の交点に位置し、かつｚ軸に沿って配置されているアンテナの自由空間での輻射パターンは、無指向性のドーナツ形状またはドーナツ形状に似た形状であり、ドーナツの中心すなわちｘｙｚ軸の交点のパターンと、ｘｙ平面に交差したｘｙ平面と共平面のドーナツの本体部分とを有する。自由空間での輻射パターンは、ｘｙ平面と共平面の任意の平面に対してｚ軸から等半径の全角度にて等しい出力密度を有する。比較して、図５の信号パターンを参照すると、加入者装置のアンテナから周波数５ＧＨｚで信号を発信させ、アンテナを人体の筋肉に近接させた場合、加入者装置のアンテナからの信号の輻射エネルギーの実質的に全てが、筋肉によって一般にｙ軸の正の方向に反射される。軸の交点は人体の端を表す。比較して、図６に示したように、加入者装置のアンテナから同じ周波数で信号を発信させ、アンテナを人体の脂肪に近接させた場合、輻射エネルギーのうちの一部が脂肪を貫くとともにｙ軸の正の方向へのビームが広がり、ｙ
軸の正の方向およびその付近の実効輻射出力は、図５のパターンにおける同じ点よりも低い。
【００１０】
さらに、アンテナまたは輻射アンテナのインピーダンスまたは実効インピーダンスも、特に人体など、隣接する他の材料による影響を受ける。加入者装置は、典型的には、発信器の出力インピーダンスをアンテナの期待インピーダンスとマッチングさせるように、すなわち発信器の出力インピーダンスをアンテナの期待インピーダンスに変換するように調節すなわち調整された、インピーダンス・マッチング回路網（１１６）を備える。しかしながら、平均的な人体特性、すなわち、マッチング回路の公称設計に用いられた公称の人体特性と異なる人体にアンテナを近接させた場合、アンテナと身体のインピーダンスとの組合せによって、予測外の、実際に予測不能な、新たなインピーダンスが生じ得る、すなわち生成され得る。輻射エネルギーの効率を維持するには、出力増幅器および受信器フロントエンド増幅器など無線周波数回路が、インピーダンスがマッチングしないことによる輻射エネルギーの不必要な損失を避けるため、この予測外のアンテナ・インピーダンスにインピーダンス・マッチングされている必要がある。
【００１１】
発信周波数は混成輻射パターンにも影響を与えるので、アンテナと共に人体の輻射効率にも影響を与える。例えば、図７の信号パターンを参照すると、加入者装置のアンテナから周波数１．９ＧＨｚで信号を発信させ、アンテナを人体の筋肉に近接させた場合、輻射エネルギーのうちの小さな一部分は筋肉を貫く。比較して、図５に示したように、５ＧＨｚで信号を発信させた場合には、輻射エネルギーの実質的に全てが、人体（筋肉）によって反射される。図８の信号パターンを参照すると、周波数１．９ＧＨｚで信号を発信させ、アンテナを人体の脂肪に近接させた場合、輻射エネルギーのうちの脂肪を貫く部分は、図６に示した、より高い周波数で輻射エネルギーを発信させた場合より小さい。したがって、発信周波数を変化させること、すなわち変更することによって、加入者装置のアンテナと、人体または人体の特定部分とを含む混成アンテナからの、輻射エネルギーすなわち実効輻射出力の量を増大させることが可能である。また、信号の出力を増減させることによって、混成アンテナの輻射パターンを考慮すること、したがって人間の脂肪量または筋肉量による実効輻射エネルギーを考慮することが可能である。所望のパターンで信号を発信し得るように、すなわち、例えば上述のように信号を低い周波数で発信し得るように、例えば、筋肉量の多い部分など人体２の異なる部分へと、加入者装置１０を移動させることも可能である。
【００１２】
ここで図３のブロック図を参照し、加入者装置１０を説明する。加入者装置１０は、対象物または操作者、もしくは好適には人間２であるユーザの、比誘電率、伝導性、または透磁率など、電磁気特性を測定するため、および対象物の伝導性、誘電率、または透磁率のパラメータ、身体の伝導性、誘電率、または透磁率のパラメータ、もしくは結果として得られる身体の伝導性、誘電率、または透磁率のパラメータなど、電磁気パラメータを生成するための１つ以上のセンサ１０２に対する入力を備える。これに代えて、加入者装置１０がセンサ１０２に対する入力にて接続されることも可能である。センサ１０２は、従来の電磁気的性質センサであってもよく、生体電気インピーダンス分析、近赤外インタラクタンス、または総身体電気伝導（ｔｏｔａｌ  ｂｏｄｙ  ｅｌｅｃｔｒｉｃａｌ  ｃｏｎｄｕｃｔｉｏｎ）によって比誘電率または身体伝導性を測定することで体脂肪率を決定する、ボディスタット社（Ｂｏｄｙｓｔａｔ  Ｌｔｄ．）から入手可能なＢｏｄｙｓｔａｔ（登録商標）１５００などの生体センサ、またはそれに類似の生体センサであってもよい。さらに、加入者装置１０が個人の身体エリア・ネットワーク用の場合、センサ１０２は、血圧、心拍数、またはその両方や、他の周知の医療関連パラメータなどを測定するためのセンサであってもよい。
【００１３】
また、加入者装置１０はコントローラ１０４も備える。コントローラ１０４は、好適に
は、モトローラ社から入手可能なＨＣ１１系列のマイクロプロセッサなど汎用プロセッサである。コントローラ１０４は、メモリ・ソース１０６に記憶されたソフトウェア・ルーチンまたはプログラムに従って、センサ１０２が測定した情報の符号化、復号化、記憶、および引出と、トランシーバ１０、アンテナ１１０、マッチング回路１１６の制御とを行うように動作する。メモリ・ソース１０６は、周知のＲＡＭ、ＲＯＭ、ＥＥＰＲＯＭ、または磁気メモリであってよい。
【００１４】
メモリ・ソース１０６は、様々な他の項目またはプログラムなどに加えて、特に、対象物の伝導性、誘電率、または透磁率のパラメータ、もしくは身体の伝導性パラメータなど、電磁気パラメータを取得および記憶するためのデータ収集ルーチンと、そうしたパラメータに従ってトランシーバ１０８およびアンテナ１１０の性能を増強するための性能増強ルーチンとを記憶するために用いられる。本開示のバランスのうちの多くでは、身体の伝導性パラメータまたは値などを使用するが、そのような使用は、例えば、人体または他の材料など対象物の伝導性、誘電率、または透磁率を含む、電磁気的な特性、パラメータ、または性質に対して一般に適用されることが理解される。メモリ・ソース１０６は、身体伝導性の値に関して他所参照される、好適な信号出力、周波数、および入力に関する１つ以上のデータベースを備え得る。この１つ以上のデータベースによって、性能増強ルーチン用のルックアップ・テーブルが与えられる。さらに、加入者装置１０が個人の身体エリア・ネットワーク用の場合、メモリ・ソース１０６は、血圧、心拍数など、測定した医療関連パラメータを処理および表示するためのルーチンも備えてよい。データ収集ルーチン、性能増強ルーチン、および他のルーチンや、データベースは、それらを含むコントローラ１０４によって実行または利用された場合に、トランシーバ１０８およびアンテナ１１０とのインタフェースや、一般に１１８で示したスピーカまたはディスプレイなどユーザ・インタフェース用の他の可能な構成要素とのインタフェースなど、コントローラ１０４に加入者装置１０の必要機能を実行させる、機械可読コードまたはソフトウェア命令である。この一覧は単に、加入者装置１０の実効輻射出力を増強するのに必要なまたは有利な例示的なルーチンの簡潔な一覧であり、言及されていない他のルーチンまたは随意のアプリケーションがメモリ・ソース１０６に記憶されてよいことを、読者は認めるであろう。
【００１５】
加入者装置１０は、例えば、遠隔端末４または遠隔の基地局６と情報を送受信するためのトランシーバ１０８も備える。トランシーバ１０８は、例えば、ブロードコム社（Ｂｒｏａｄｃｏｍ，Ｉｎｃ．）のＢＤＭ２０３３ＫＦＢであってよく、周知のように、受信信号、発信信号をそれぞれ増幅するための増幅器および出力増幅器１１２と、発信周波数および受信周波数を制御するためのシンセサイザ１１４とを備える。トランシーバ１０８は、コントローラ１０４を用いて動作し、かつコントローラ１０４に制御されて、音声トラフィックまたはデータ・メッセージもしくはそれらに対応する信号をアンテナ１１０に供給、またはアンテナ１１０によって受取すなわち受信するとともに、出力増幅器１１２の出力レベルを調整、またはシンセサイザ１１４の周波数を調整する。
【００１６】
加入者装置１０は、周知のように、加入者装置１０のトランシーバ１０８から発信すなわち送信される周波数信号、またはトランシーバ１０８によって受信される無線周波数信号を、受信または輻射するように動作するアンテナ１１０を備える。アンテナ１１０は、トランシーバ１０８とアンテナ１１０との間のインピーダンス・マッチングを与えるようにアンテナ１１０を調節するための制御入力を有する、マッチング回路１１６を備える。マッチング回路１１６、詳細には制御入力は、コントローラ１０４が身体伝導性パラメータに従ってさらにアンテナ１１０のインピーダンスを調整することが可能なように、好適にはコントローラ１０４に直接的に接続されている。上述のように、人体２がアンテナ１１０のインピーダンスを変化させる場合がある。
【００１７】
図４を参照して、ここで例示的な方法、すなわち加入者装置の実効輻射出力を増強させ
るためのプロセス４００を、伝導性パラメータに基づいて図１〜３に示した要素に照らして説明する。工程４０２にて、デフォルトの身体伝導性の値（または、所定値）がメモリ・ソース１０６に記憶される。デフォルトの身体伝導性の値は、例えば、加入者装置１０の製造時にメモリ・ソース１０６に記憶された、平均的な人間の比誘電率または伝導性であってよい。工程４０４にて、センサ１０２が人間２の身体伝導性を測定し、身体伝導性パラメータを生成する。センサ１０２は、例えば、生体電気インピーダンス分析、近赤外インタラクタンス、または総身体電気伝導によって、身体の伝導性を測定する。好適には、生体電気インピーダンス分析または近赤外インタラクタンスが用いられる。工程４０６にて、コントローラ１０４が、データ収集ルーチンに従って、身体伝導性パラメータをメモリ・ソース１０６に記憶する。
【００１８】
工程４０８にて、コントローラ１０４は性能増強ルーチンに従って動作し、身体伝導性パラメータをデフォルトの身体伝導性の値（または、所定値）と比較するとともに、比較結果パラメータを生成する。より詳細には、コントローラ１０４は、身体伝導性パラメータがデフォルトの身体伝導性の値に対して所定の百分率（または、所定量）を超えて大きいか否か、または小さいか否かを判定する。例えば、デフォルトの身体伝導性の値が１、身体伝導性パラメータが１．４６であり、かつ所定の百分率が１０だった場合、コントローラ１０４は、ブール値「真」を含む比較結果パラメータを生成する。比較結果パラメータには、身体伝導性パラメータとデフォルトの身体伝導性の値との差が含まれてもよい。
【００１９】
工程４０８にて、コントローラ１０４が、身体伝導性パラメータはデフォルトの身体伝導性の値に対して所定の百分率だけ大きい、と判定した場合（比較結果パラメータにはブール値「真」が含まれる）、工程４１０にて、コントローラ１０４は、比較結果パラメータに基づいて、トランシーバ１０８の性能を増強するために好適な設定を決定する。より詳細には、コントローラ１０４は、比較結果パラメータに基づいて、用いられる最適な信号出力を決定する、または、アンテナ１１０のインピーダンスがトランシーバ１０８のインピーダンスにマッチングされるように、アンテナ１１０に最適なインピーダンスを決定する。これは、メモリ・ソース１０６に記憶されたデータベースによって提供されるルックアップ・テーブルのうちの１つを利用して、比較結果パラメータに基づいて調整量を決定することによって行われる。これに代えて、調整量を決定するために、アルゴリズムを実験的に発達させることも可能である。続いて、コントローラ１０４は、決定された最適な信号出力およびインピーダンスに従って、パラメータ１１２およびアンテナ１１０を調整する。
【００２０】
工程４１１にて、コントローラ１０４は、身体伝導性パラメータがデフォルトの身体伝導性の値に対して第２の所定の百分率（別の所定量）を超えて異なるか否かを判定し、別の比較結果パラメータを生成する。第２の所定の百分率は、工程４０８における比較で利用した所定の百分率より大きい。工程４１１にて、コントローラ１０４が、身体伝導性パラメータはデフォルトの身体伝導性の値に対して第２の所定の百分率だけ小さい、と判定した場合、工程４１２にて、コントローラ１０４は、シンセサイザ１１４を調整するための代わりの発信周波数または受信周波数を決定することによって、トランシーバ１０８の発信周波数を調整する。これもやはり、ルックアップ・テーブルを利用して行われ得る。随意で、コントローラ１０４が、より優れた実効輻射出力が得られるような、人体２における代わりの位置を決定してもよい。
【００２１】
工程４１４にて、コントローラ１０４は、工程４１０，４１２で決定された設定にシンセサイザ１１４を調節する（身体伝導性パラメータがデフォルトの身体伝導性の値に対して第２の所定の百分率を超えて異なる場合）、または、工程４１２でそのように決定された場合には、加入者装置１０の位置を調整するための命令を表す信号を生成する。工程４０８にて、コントローラ１０４が、身体伝導性パラメータはデフォルトの身体伝導性の値
に対して所定の百分率まで大きくない、または小さくないと判定した場合、プロセス４００は直接、工程４１４へ進み、デフォルトの身体伝導性の値に従って、シンセサイザ１１４または１１２が調整される。また、工程４１１にて、コントローラ１０４が、身体伝導性パラメータはデフォルトの身体伝導性の値に対して第２の所定の百分率まで大きくない、または小さくないと判定した場合にも、プロセス４００は直接、工程４１４へ進み、デフォルトの身体伝導性の値に従って、シンセサイザ１１４または１１２が調整される。
【００２２】
工程４１６にて、コントローラ１０４は、周知のように、チャネル周波数を監視するとともに従来の自動ゲイン制御と自動周波数制御とを利用して、チャネルを維持する。工程４１８にて、コントローラ１０４は、送受信を開始するようにトランシーバ１０８へ命令する。タイマは、エネルギー節約用の内部クロックによって維持される。通話または発信が開始される毎に、タイマはリセットされる。工程４２０に示したように、タイマの期限が切れるとプロセス４００は工程４０４へ復帰する。トランシーバ１０８が情報の送受信を完了した後にも、プロセス４００は工程４０４へ復帰する。当然の事ながら、トランシーバ１０８が依然として情報を送受信している場合、タイマの状態にかかわらずプロセス４００は工程４０４へ復帰しない。この例では人体の伝導性に基づいたが、伝導性との組合せで、または独立で、この方法すなわち図４に示したプロセスを通じて同様の方式で、誘電率および透磁率など他の電磁気的性質を用いることが可能である。
【００２３】
これによって、本発明では、実効輻射出力を有する加入者装置１０を提供する。加入者装置１０は、人体における身体伝導性パラメータなど対象物の電磁気特性を測定するための１つ以上のセンサ１０２を備える。加入者装置１０はコントローラ１０４を備える。コントローラ１０４は、電磁気的な性質またはパラメータに従って、アンテナ１１０のインピーダンス、増幅器１１２の出力、またはシンセサイザ１１４の周波数を調整することによって、加入者装置１０の動作を増強する。好適には、コントローラ１０４は、加入者装置１０のメモリに記憶されたソフトウェア・プログラムに従って、加入者装置１０の増強を実行する。結果的に、コントローラ１０４は、加入者装置１０からの無線周波数信号の出力を有意に制限する。
【００２４】
本開示は、真の、意図される、正当な、本発明の範囲および精神を限定するものではなく、本発明に従い、如何にして様々な実施態様を形成し使用するかの説明を意図するものである。上述の記載は、網羅的であることを意図したものではなく、また、本発明を開示の厳密な形態に限定することを意図するものでもない。上述の教示に照らし、修正または変形が可能である。本発明の原理と、その実際の適用とを最も良く示すように、および、様々な実施態様と、企図された特定の使用に適するような様々な修正とにおいて当業者が本発明を利用することが可能であるように、実施態様を選択し記載した。正当に、法に則り、公平に権利化された範囲に従って解釈される場合、そうした修正および変形の全てと、その均等物の全てとは、本特許出願の継続中に補正され得る添付の特許請求の範囲によって決定される、本発明の範囲の内にある。
【図面の簡単な説明】
【００２５】
【図１】本発明が実施され得る例示的な環境の簡略的な代表図。
【図２】本発明が実施され得る別の例示的な環境の簡略的な代表図。
【図３】本発明に最も適切な加入者装置の構成要素のブロック図。
【図４】加入者装置によって実行される性能増強プロセスの流れ図。
【図５】人間の筋肉に相対するアンテナから生じる輻射の出力パターンのグラフ。
【図６】人間の脂肪に相対するアンテナから生じる輻射の出力パターンのグラフ。
【図７】人間の筋肉に相対するアンテナから生じる輻射の出力パターンのグラフ。
【図８】人間の脂肪に相対するアンテナから生じる輻射の出力パターンのグラフ。
【図１】
2006524963.tif 000003
【図２】
2006524963.tif 000004
【図３】
2006524963.tif 000005
【図４】
2006524963.tif 000006
【図５】
2006524963.tif 000007
【図６】
2006524963.tif 000008
【図７】
2006524963.tif 000009
【図８】
2006524963.tif 000010
【国際調査報告】
2006524963.tif 000011